(57)【要約】【課題】手軽に記録画像をテーブル上などに飾って観賞できるようにする画像記録媒体を提供する。【解決手段】表面側に画像記録面Ｐを有する基体１と、基体１を載置面に対して所定の角度に保持可能な脚部２１Ａ〜２１Ｄ及び脚支持部２２Ａ〜２２Ｄと、基体１の長手方向両端に取り外し可能に設けられた補助部２とを有する。基体１は、表面側の第１の基体１１と裏面側の第２の基体１２の積層体で構成され、脚部２１Ａ〜２１Ｄ及び脚支持部２２Ａ〜２２Ｄは第２の基体１２に引き起こし可能に設けられている。補助部２と第１の基体１との境界の連続切断部５より、補助部２と第２の基体１２との境界のミシン目状の断続切断部６の方が、基体１の中心寄りに位置している。【選択図】図１ 
2005074814.tif 000002
【特許請求の範囲】
【請求項１】
画像記録装置により画像記録可能な画像記録面を有する基体と、
前記基体を載置面に対して所定の角度に保持可能な基体保持部と、を有することを特徴とする画像記録媒体。
【請求項２】
前記基体保持部は、接続部を介して前記基体と一体に設けられ、前記接続部が折り曲げられることにより前記基体を載置面に対して所定の角度に保持することを特徴とする請求項１記載の画像記録媒体。
【請求項３】
前記基体保持部は、前記接続部を介して折り曲げられることにより前記載置面に対して前記基体を保持可能な脚部と、前記基体に対して前記脚部を所定角度に位置決め可能な脚支持部とを有することを特徴とする請求項２記載の画像記録媒体。
【請求項４】
前記脚支持部は、前記脚部を介して前記基体を支持するように前記脚部と係合可能な切欠き溝を有することを特徴とする請求項３記載の画像記録媒体。
【請求項５】
前記脚支持部は、前記脚部を介して前記基体を第１の位置に支持するように前記脚部と係合可能な第１の切欠溝と、前記脚部を介して前記基体を第２の位置に支持するように前記脚部と係合可能な第２の切欠溝とを有することを特徴とする請求項３記載の画像記録媒体。
【請求項６】
前記基体保持部は、複数個設けられていることを特徴とする請求項１〜５の何れか一項に記載の画像記録媒体。
【請求項７】
前記基体は、前記画像記録面を有する第１の基体と、前記第１の基体と張り合わされた第２の基体とを有し、
前記第２の基体が前記基体保持部を備えていることを特徴とする  請求項１〜６の何れか一項に画像記録媒体。
【請求項８】
前記基体保持部は、前記第２の基体を一部切断することにより形成されていることを特徴とする請求項７記載の画像記録媒体。
【請求項９】
前記第２の基体には、前記基体保持部に隣接した開口が形成されていることを特徴とする請求項７または８記載の画像記録媒体。
【請求項１０】
前記第１の基体は、前記画像記録面を有する画像記録層と、前記画像記録層を支持する第１の支持層とを有し、
前記第２の基体は、前記第１の支持層上に形成された第２の支持層と、前記第２の支持層上に形成され且つ前記基体のカールを防止するカール防止層とを有することを特徴とする請求項７〜９の何れか一項に記載の画像記録媒体。
【請求項１１】
前記カール防止層は、前記画像記録層と同一層構造を有することを特徴とする請求項１０記載の画像記録媒体。
【請求項１２】
前記基体の少なくとも長手方向一端には、前記画像記録面と面一で且つ前記基体から取り外し可能に取り付けられた補助部を有することを特徴とする請求項１〜１１の何れか一項に記載の画像記録媒体。
【請求項１３】
前記基体の少なくとも長手方向一端には、前記画像記録面と面一で且つ前記基体から取り外し可能な補助部が取り付けられており、
前記補助部と前記第１の基体との間には、幅方向に連続した連続切断部が形成され、且つ、前記補助部と前記第２の基体との間には、幅方向に断続する断続切断部が形成され、
前記補助部の長手方向端縁から前記連続切断部までの長さが、前記補助部の長手方向端縁から前記断続切断部までの長さよりも短く設定されていることを特徴とする請求項７〜１１の何れか一項に記載の画像記録媒体。
【請求項１４】
前記画像記録面の最表層が、少なくとも顔料とバインダーとを含んでなるインク受容層であることを特徴とする請求項１〜１３の何れか一項に記載の画像記録媒体。
【発明の詳細な説明】
【技術分野】
【０００１】
本発明は、画像記録後に、例えば、フォトスタンドとして使用可能な画像記録媒体に関するものである。
【背景技術】
【０００２】
デジタルカメラや高画質プリンタの普及に伴い、家庭でも写真のプリントが手軽にできるようになってきている。例えば、インクジェットプリンタと専用のインクジェット用紙を用いることにより、銀塩写真並みの高画質写真プリントが可能である。このような写真プリントは、専用の高画質用紙等の画像記録媒体に行うのが一般的であるが、従来では、画像記録媒体とフォトスタンドとが別物であったので、プリントした画像記録媒体をテーブル上などに飾る場合には、別に用意したフォトスタンドにセットしなくてはならなかった。
【０００３】
従来の簡易形のフォトスタンドの例として、厚紙等で作った２枚合わせのパネルの裏面側に引き起こし式の脚部を設け、この脚部を引き起こすことで、パネルを適当な角度で立てることができるようにしたものがある（例えば、特許文献１参照）。このようなフォトスタンドを用いる場合、２枚のパネルの間に予めプリントした写真を差し込み、表面側の開口から写真が見えるようにして、脚部によりパネルを立てて使用する。
【特許文献１】実開平７−８４７号公報
【発明の開示】
【発明が解決しようとする課題】
【０００４】
ところで、前述のように、デジタルカメラや高画質プリンタの普及に伴って写真のプリントが手軽にできるようになってきたものの、プリントした写真を飾るところまでを考えた場合、従来では、別に用意したフォトスタンドにプリントした写真を改めてセットしなくてはならない面倒があるため、手軽さの点において、さらなる改善の余地があった。
【０００５】
本発明は、上記事情を考慮してなされたもので、より手軽に、記録した画像をテーブル上などに飾って観賞できるようにする画像記録媒体を提供することを目的とする。
【課題を解決するための手段】
【０００６】
請求項１の発明の画像記録媒体は、画像記録装置により画像記録可能な画像記録面を有する基体と、前記基体を載置面に対して所定の角度に保持可能な基体保持部と、を有することを特徴とする。
【０００７】
請求項２の発明の画像記録媒体は、請求項１において、前記基体保持部は、接続部を介して前記基体と一体に設けられ、前記接続部が折り曲げられることにより前記基体を載置面に対して所定の角度に保持することを特徴とする。
【０００８】
請求項３の発明の画像記録媒体は、請求項２において、前記基体保持部は、前記接続部を介して折り曲げられることにより前記載置面に対して前記基体を保持可能な脚部と、前記基体に対して前記脚部を所定角度に位置決め可能な脚支持部とを有することを特徴とする。
【０００９】
請求項４の発明の画像記録媒体は、前記脚支持部は、前記脚部を介して前記基体を支持するように前記脚部と係合可能な切欠き溝を有することを特徴とする。
【００１０】
請求項５の発明の画像記録媒体は、請求項３において、前記脚支持部は、前記脚部を介して前記基体を第１の位置に支持するように前記脚部と係合可能な第１の切欠溝と、前記脚部を介して前記基体を第２の位置に支持するように前記脚部と係合可能な第２の切欠溝とを有することを特徴とする。
【００１１】
請求項６の発明の画像記録媒体は、請求項１〜５のいずれかにおいて、前記基体保持部は、複数個設けられていることを特徴とする。
【００１２】
請求項７の発明の画像記録媒体は、請求項１〜６のいずれかにおいて、前記基体は、前記画像記録面を有する第１の基体と、前記第１の基体と張り合わされた第２の基体とを有し、前記第２の基体が前記基体保持部を備えていることを特徴とする。
【００１３】
請求項８の発明の画像記録媒体は、請求項７において、前記基体保持部は、前記第２の基体を一部切断することにより形成されていることを特徴とする。
【００１４】
請求項９の発明の画像記録媒体は、請求項７または８において、前記第２の基体には、前記基体保持部に隣接した開口が形成されていることを特徴とする。
【００１５】
請求項１０の発明の画像記録媒体は、請求項７〜９のいずれかにおいて、前記第１の基体は、前記画像記録面を有する画像記録層と、前記画像記録層を支持する第１の支持層とを有し、前記第２の基体は、前記第１の支持層上に形成された第２の支持層と、前記第２の支持層上に形成され且つ前記基体のカールを防止するカール防止層とを有することを特徴とする。
【００１６】
請求項１１の発明の画像記録媒体は、請求項１０において、前記カール防止層は、前記画像記録層と同一層構造を有することを特徴とする。
【００１７】
請求項１２の発明の画像記録媒体は、請求項１〜１１のいずれかにおいて、前記基体の少なくとも長手方向一端には、前記画像記録面と面一で且つ前記基体から取り外し可能に取り付けられた補助部を有することを特徴とする。
【００１８】
請求項１３の発明の画像記録媒体は、請求項７〜１１のいずれかにおいて、前記基体の少なくとも長手方向一端に、前記画像記録面と面一で且つ前記基体から取り外し可能な補助部が取り付けられており、前記補助部と前記第１の基体との間には、幅方向に連続した連続切断部が形成され、且つ、前記補助部と前記第２の基体との間には、幅方向に断続する断続切断部が形成され、前記補助部の長手方向端縁から前記連続接続部までの長さが、前記補助部の長手方向端縁から前記断続切断部までの長さよりも短く設定されていることを特徴とする。
【００１９】
請求項１４の発明の画像記録媒体は、請求項１〜１３のいずれかにおいて、前記画像記録面の最表層が、少なくとも顔料とバインダーとを含んでなるインク受容層であることを特徴とする。
【発明の効果】
【００２０】
請求項１の発明によれば、基体の画像記録面に画像を記録した後、そのまま基体保持部を用いて基体をテーブル等の載置面に立てることができ、画像記録媒体をそのままフォトスタンドとして使用することができる。従って、別にフォトスタンドを用意する手間が不要であり、手軽に写真等の印刷物をテーブルの上に飾ることができる。
【００２１】
請求項２の発明によれば、接続部を折り曲げることで、基体に一体に設けた基体保持部を、基体を所定の角度で保持できる位置にセットすることができるので、特別な道具を用いることなく、簡単にフォトスタンドとしての使用が可能である。
【００２２】
請求項３の発明によれば、基体保持部を、接続部を介して折り曲げられることで基体を保持する脚部と、基体に対して脚部を所定角度に位置決め可能な脚支持部とで構成したので、誰が組み立てても、一定の角度で安定して基体を保持することができる。
【００２３】
請求項４の発明によれば、脚支持部に切欠き溝が設けられているので、脚支持部によって基体と脚部の相対位置を位置決めすることが可能となり、安定して基体を保持することが可能となる。
【００２４】
請求項５の発明によれば、２つの切欠溝が設けられているので、脚部と切欠溝の係合位置を選択することにより、基体を２つの位置で支持することができ、例えば、基体を縦置きする場合と横置きする場合の両方に脚部及び脚支持部を共用することができる。
【００２５】
請求項６の発明によれば、基体保持部を複数設けたので、使用する基体保持部を適当に選択することにより、色々な姿勢で基体を安定的に支持することができる。例えば、基体を縦置きする場合と横置きする場合とで、別の組み合わせの基体保持部を使用することにより、いずれの場合も安定した角度及び姿勢で基体を支持することができる。
【００２６】
請求項７の発明によれば、基体を、画像記録面を有する第１の基体と第２の基体の張り合わせで構成し、第２の基体側に基体保持部を設けたので、基体保持部を設ける場合の切り込み（切断線）を入れる等の加工を、画像記録面を有する第１の基体側に影響を与えずに行うことができ、製作が容易になる。また、基体を２枚の張り合わせで構成しているので、表面側（第１の基体側）と裏面側（第２の基体側）で機能を分担させる場合に、加工作業などがやりやすくなる。
【００２７】
請求項８の発明によれば、基体保持部を、第２の基体を一部切断することで形成しているので、切断線に沿って基体保持部を引き起こすことにより、基体を立姿勢で支持する位置に簡単にセットすることができる。
【００２８】
請求項９の発明によれば、第２の基体に基体保持部に隣接した開口を形成しているので、その開口に指等を差し込みながら、簡単に基体保持部を引き起こすことができ、フォトスタンドとして使用する場合の組立がやりやすくなる。
【００２９】
請求項１０の発明によれば、第１の基体を、画像記録面を有する画像記録層とそれを支持する第１の支持層とで構成し、第２の基体を、第１の支持層上の第２の支持層とその上のカール防止層とで構成したので、湿度変化等による基体のカールを防止することができ、常に基体をフラットな状態、または、一定の曲面の状態に保持しておくことができる。
【００３０】
請求項１１の発明によれば、カール防止層を画像記録層と同一の層構造にしてあるので、基体の表裏が対称な層構造となることで、湿度変化等に対して有効にカール防止効果を発揮することができる。
【００３１】
請求項１２の発明によれば、基体の長手方向の端部に基体から取り外し可能な補助部を設けたので、その補助部によって基体の長手方向長さを実質的に延長し、例えば、安定した状態で画像記録装置に画像記録媒体を通すことが可能であり、さらに基体の端部ぎりぎりの位置まで画像記録を行うことができるようになる。また、ユーザが補助部を持って取り扱うことにより、基体の画像記録面を汚さないように保護することもできる。
【００３２】
請求項１３の発明によれば、補助部と第１の基体との間に連続切断部、補助部と第２の基体との間に断続切断部（いわゆるミシン目カット）を形成したので、連続切断部及び断続切断部で切り離すことにより、補助部を基体から簡単に取り外すことができる。また、断続切断部で切り離した際には切断面に凹凸ができてしまうが、裏面側（第２の基体側）の断続切断部の位置は、表面側（第１の基体側）の連続切断部の位置よりも基体長手方向中央寄りにあるので、前記凹凸は、補助部が切り離された第１の基体の裏側に隠れることになる。ここで、連続切断部で切り離された第１の基体の端縁は、機械カットによるきれいな切断線となっているので、補助部が切り離された後の基体の端縁は、きれいな切断線だけが前方から見える状態になる。つまり、見栄えの悪い部分が表から見えなくなるので、正面から見た場合の美観が増す。
【００３３】
請求項１４の発明によれば、画像記録面の最表層が、少なくとも顔料とバインダーとを含んでなるインク受容層であるため、例えばインクジェットプリンタ等のインクを用いた画像記録手段によって滲みのない鮮やかな画像を画像記録面上に表現することができる。
【発明を実施するための最良の形態】
【００３４】
以下、本発明の画像記録媒体をフォトスタンドを兼ねたフォトボードとして適用した場合の実施形態について図面を参照しながら説明する。
図１は実施形態の画像記録媒体の全体構成図で、（ａ）は表面側から見た平面図、（ｂ）は側面図、（ｃ）は裏面側から見た平面図である。図２は画像記録媒体の基体の積層構造を示す模式図、図３は画像記録媒体の表面側から見た外観を示す斜視図、図４は画像記録媒体に対する印刷時の様子を概略的に示す側面図、図５は画像記録媒体の補助部の切り離しの様子を示す図で、（ａ）は切り離し前のフラットな状態を示す側面図、（ｂ）は切り離し途中の状態を示す側面図である。また、図６〜図９は画像記録媒体をフォトスタンドして使用する場合の組立手順の説明図であって、図６は一方の補助部を切り離した状態の画像記録媒体を裏面側から見た斜視図、図７は基体保持部である脚部や脚支持部の引き起こし途中の状態を示す斜視図、図８は基体を縦置きした際の裏面側から見た斜視図、図９は基体を横置きした場合の裏面側から見た斜視図である。
【００３５】
図１及び図６に全体構成を示すように、この画像記録媒体Ｓは、表面側に画像記録装置により画像記録可能な画像記録面Ｐを有する長方形状の基体１と、基体１の長手方向両端に画像記録面Ｐと面一で且つ基体１から取り外し可能な張出片として取り付けられた長方形状の補助部（耳）２と、基体１をテーブル等の載置面に対して所定の角度で立てる際に基体１を保持する基体保持部としての、基体１の裏面側に設けられた４組の脚部２１Ａ〜２１Ｄ及び脚支持部２２Ａ〜２２Ｄとから構成されている。
【００３６】
４組の脚部２１Ａ〜２１Ｄ及び脚支持部２２Ａ〜２２Ｄは、長方形状の基体１の４つの辺に対応して設けられており、第１の脚部２１Ａ及び脚支持部２２Ａの組と、第２の脚部２１Ｂ及び脚支持部２２Ｂの組は、基体１の一方の長辺（図１（ｃ）の下の辺）に沿って並べて配置され、基体１の長さ方向の中心線Ｌ１に対して互いに線対称の関係にある。また、第３の脚部２１Ｃ及び脚支持部２２Ｃの組と、第４の脚部２１Ｄ及び脚支持部２２Ｄの組は、基体１の他方の長辺（図１（ｃ）の上の辺）に沿って並べて配置され、基体１の長さ方向の中心線Ｌ１に対して互いに線対称の関係にある。また、第１の脚部２１Ａ及び脚支持部２２Ａの組と、第４の脚部２１Ｄ及び脚支持部２２Ｄの組は、基体１の一方の短辺（図１（ｃ）の左の辺）に沿って並べて配置され、基体１の幅方向の中心線Ｌ２に対して互いに線対称の関係にある。また、第２の脚部２１Ｂ及び脚支持部２２Ｂの組と、第３の脚部２１Ｃ及び脚支持部２２Ｃの組は、基体１の他方の短辺（図１（ｃ）の右の辺）に沿って並べて配置され、基体１の幅方向の中心線Ｌ２に対して互いに線対称の関係にある。
【００３７】
各脚部２１Ａ〜２１Ｄは、接続部（折り曲げ線）２４を介して基体１と一体に設けられており、接続部２４が折り曲げられることにより、基体１を載置面に対して所定の角度に保持する機能を発揮する。また、脚支持部２２Ａ〜２２Ｄは、接続部（折り曲げ線）２６を介して基体１と一体に設けられ、接続部２６が折り曲げられることにより、基体１に対して脚部２１Ａ〜２１Ｄを所定角度に位置決めする機能を発揮する。
【００３８】
脚支持部２２Ａ〜２２Ｄには、脚部２１Ａ〜２１Ｄを介して基体１を第１の位置に支持するように脚部２１Ａ〜２１Ｄ側の係合溝２８と係合可能な第１の切欠溝２７ａと、脚部２１Ａ〜２１Ｄを介して基体１を第２の位置に支持するように脚部２１Ａ〜２１Ｄ側の係合溝２８と係合可能な第２の切欠溝２７ｂとが設けられている。ここで、第１の位置は、基体１をテーブル上などに縦置きする場合に基体１を安定支持できる位置であり、第２の位置は、基体１をテーブル上などに横置きする場合に基体１を安定支持できる位置である。
【００３９】
次に図２を参照して画像記録媒体の積層構造について説明する。補助部２も同じ積層構造をなしているので、ここでは代表として基体１側の積層構造についてのみ説明する。
【００４０】
基体１は、表側の第１の基体１１と裏側の第２の基体１２とを、表裏対称な向きで積層して張り合わせた構造をなしている。第１の基体１１と第２の基体１２は、全く同じ構造の２層体からなり、各２層体は、上側の画像記録層１６と、それを支持する下側の支持層１７とからなる。画像記録層１６は、例えば、基材上にインク受容層１６ａを積層してなるインクジェット用紙からなり、支持層１７は厚紙からなる。基体１は、このように４層を積層した構造をなしており、表面側から裏面側に向かって、第１層に画像記録層１６、第２層に第１の支持層１７、第３層に第２の支持層１７、第４層に画像記録層１６が並んでいる。
【００４１】
第１の基体１１と第２の基体１２を、同じ構造の２層体で構成し、表裏対称な向きで張り合わせたのは、湿度変化等による基体１のカールを防止するためであり、特に第２の基体１２側（裏面側）の画像記録層１６が、表裏のバランスをとり、カール防止層としての機能を果たす。
【００４２】
上記インク受容層１６ａは、基材上に少なくとも無機粒子を含有するものである。上記基材としては、ポリエチレン、ポリプロピレン、ポリエチレンテレフタレート（PET）等のプラスチックフィルム、上質紙、コート紙、ラミネート紙等の紙材からなるシート等があげられる。
【００４３】
上記無機粒子としては、例えば、多孔性非晶質シリカ、多孔性非晶質アルミナ、多孔性非晶質炭酸マグネシウム等が好ましく用いられる。また、無機粒子の含有量は、インク受容層１６ａの乾燥重量に対して、好ましくは３０〜９０重量％である。
【００４４】
上記インク受容層１６ａには、無機粒子のバインダーとして、ポリビニルアルコール、酢酸ビニル、アクリルなどの水溶性高分子またはエマルジョンが含有される。バインダーの含有量は、上記多孔性無機粒子１００重量部に対して、好ましくは５〜６０重量部である。また、インク受容層１６ａには、必要に応じ、染料定着剤、蛍光増白剤、防カビ剤、防腐剤、界面活性剤、増粘剤、ｐＨ調整剤、消泡剤、硬膜剤、レベリング剤、紫外線吸収剤等の各種添加剤の1種又は2種以上を含有することができる。
【００４５】
インク受容層１６ａの形成には、無機粒子とバインダー等を含む塗工液を、ロールコーティング法、ロッドバーコーティング法、エアナイフコーティング法等の各種の方法で基材上に塗工することにより行うことが出来る。このときのインク受容層１６ａの厚みは、インク吸収性や粉落ち防止等の観点から、好ましくは１０〜６０μmである。また、インク受容層１６ａの質感、風合いなどは、特に限定されず、マット調でもよく、キャスト法により鏡面光沢仕上げされたような高光沢調のもの、あるいは半光沢調でもよい。
【００４６】
前述した４組の脚部２１Ａ〜２１Ｄ及び脚支持部２２Ａ〜２２Ｄは、第２の基体１２側に設けられており、第２の基体１２の一部に所定の輪郭の切断線２３、２４を入れることで、接続部２４、２６の屈曲に応じて引き起こし可能に形成されている。なお、切断線２３、２５の切り込みの深さは、第２の基体１２の全層分に及んでいるものの、第１の基体１１側には達していない。
【００４７】
また、第２の基体１２には、脚部２１Ａ〜２１Ｄ及び脚支持部２２Ａ〜２２Ｄに隣接して開口２９が設けられている。これらの開口２９は、脚部２１Ａ〜２１Ｄ及び脚支持部２２Ａ〜２２Ｄを引き起こす際に、指等を差し込んで作業をやりやすくするためのものである。
【００４８】
次に補助部２と基体１の関係について述べる。
補助部２は、基体１の長手方向両端の短辺部分に、必要最小寸法だけ張り出した形で連設されている。この補助部２は、図４に示すように、画像記録装置の印刷ヘッド５１により基体１に画像記録を行う際の、画像記録媒体Ｓの長さを稼ぐために主に設けられている。つまり、印刷時には、ローラ５２、５３によって安定的に画像記録媒体Ｓを支持しておかなければならないが、基体１の端部ぎりぎりまで印刷しようとする場合、画像記録媒体Ｓがそこで終わっていると、支持が不安定になりやすい。そのため、補助部２を設けることで、画像記録媒体Ｓの長さを延長し、支持の安定を図るようにしている。このように構成することで、基体１の端部ぎりぎりの位置まで画像記録（いわゆるフチ無し印刷）を行うことができるようになる。また、補助部２は、画像記録を意図しない部分であるため、この補助部２を持って画像記録媒体Ｓを取り扱うことにより、基体１の画像記録面を汚さないように保護することもできる。
【００４９】
この補助部２の層構造は、基体１のそれと全く同じであり、補助部２の表面と基体１の画像記録面Ｐは面一で連続し、印刷ヘッド等に引っ掛からないようになっている。また、補助部２を、基体１から容易に切り離し可能とするために、補助部２と表面側の第１の基体１１との境界には直線状の連続切断部５、補助部２と裏面側の第２の基体１２との境界には直線ミシン目状の断続切断部６が形成されている。裏面側の断続切断部６の非カット部分は、補助部２を基体１に繋がった状態に保っている。この場合、補助部２の長手方向端縁から表面側の連続切断部５までの長さＶ１が、補助部２の長手方向端縁から裏面側の断続切断部６までの長さＶ２よりも短く設定されている。そして、図５（ｂ）に示すように、位置をずらした連続切断部５と断続切断部６と間の部分７において、第２の基体１２と補助部２とが取り外し可能な量の接着剤により接着されている。
【００５０】
また、補助部２の幅方向（基体１の幅方向と同じ）の端部には、その部分だけ補助部２を無くした切欠３が設けられている。この切欠３は、画像記録媒体の上面または下面を検出片でなぞることにより用紙検出を行う機械式の用紙検出器を備えたプリンタで画像記録を行う場合などに、前記の連続切断部５や断続切断部６に検出片が引っ掛かるのを避けることを主な目的として設けられている。
【００５１】
なお、直線状に形成された連続切断部５の長さ方向の一端（基体１の長辺と交差する端部）は、補助部２を切り離したとき、基体１の角部に丸みを付けるために、小さな円弧状に湾曲している。一方、断続切断部６は、後述するように表側から隠れる位置にあるので、長さ方向の両端は直線状カットのままで終わっている。
【００５２】
次に上記構成の画像記録媒体Ｓの使い方及び作用について説明する。
この画像記録媒体Ｓに画像を印刷する場合には、図３に示すように、表面側の画像記録面Ｐに記録する。次いで、図６に矢印Ａで示すように、不要になった両端の補助部２を切り離す。その際、図５に示すように、表面の第１の基体側１１の連続切断部５は予めほとんど切断されているので、裏面の第２の基体１２側の断続切断部６のみを引き千切るようにして補助部２を取り外す。
【００５３】
こうして断続切断部６で切り離した際には、切断面に凹凸ができてしまうが、裏面側（第２の基体１２側）の断続切断部６の位置は、表面側（第１の基体１１側）の連続切断部５の位置よりも基体１長手方向中央寄りにあるので、前記凹凸は、補助部２が切り離された第１の基体１１の裏側に隠れることになる。ここで、連続切断部５で切り離された第１の基体１１の端縁は、機械カットによるきれいな切断線となっているので、補助部２が切り離された後の基体１の端縁は、きれいな切断線だけが前方から見える状態になり、見栄えのあまり好ましくない部分が表側から見えなくなって、正面から見た際の美観を損なうことがない。
【００５４】
次に画像の向きによりテーブル等の載置面上に立てる向きを決め、基体１の４辺のうち下辺になる辺に沿った２組の脚部２１Ａ〜２１Ｄ及び脚支持部２２Ａ〜２２Ｄを選択し、それぞれ接続部２４、２６を折り曲げながら該当する２組の脚部２１Ａ〜２１Ｄ及び脚支持部２２Ａ〜２２Ｄを矢印Ｂ、Ｃの方向に引き起こす。図７は基体１を縦置きする場合の例を示し、一方の短辺に沿った２組の脚部２１Ａ、２１Ｄ及び脚支持部２２Ａ、２２Ｄを引き起こしている状態を示している。なお、脚部２１Ａ、２１Ｄ及び脚支持部２２Ａ、２２Ｄを引き起こす際に、隣接して開口２９を設けてあるので、引き起こしやすい。
【００５５】
脚部２１Ａ、２１Ｄ及び脚支持部２２Ａ、２２Ｄをある程度引き起こしたら、図８に示すように、脚部２１Ａ、２１Ｄの係合溝２８に、脚支持部２２Ａ、２２Ｄのいずれかの切欠溝２７ａ、２７ｂを係合させる。この場合、第１の切欠溝２７ａは縦置き用、第２の切欠溝２７ｂは横置き用に設定してあるので、縦置き用の第１の切欠溝２７ａを脚部２１Ａ、２１Ｄの係合溝２８に係合させる。こうすることで、係合部分が動かなくなり、脚部２１Ａ、２１Ｄの角度を固定することができる。従って、一方の短辺を載置面上に載せた状態で、裏面側の延ばした脚部２１Ａ、２１Ｄによって、基体１を所定の角度で縦置き姿勢で安定的に保持することができる。
【００５６】
反対向きに基体１を縦置きする場合は、脚部２１Ｂ、２１Ｃ及び脚支持部２２Ｂ、２２Ｃの組を選択し、同様の組み立てを行って載置面上に載置する。また、基体１を横置きする場合は、図９に示すように、置く向きに応じて脚部２１Ａ、２１Ｂ及び脚支持部２２Ａ、２２Ｂの組を選択するか、または脚部２１Ｂ、２１Ｃ及び脚支持部２２Ｂ、２２Ｃの組を選択するかして、同様の組み立てを行って載置面上に載置する。ただし、横置きの場合は、脚支持部２２Ａ〜２２Ｄの第２の切欠溝２７ｂと脚部２１Ａ〜２１Ｄの係合溝２８とを係合させることで、基体１の角度を決める。
【００５７】
このように、基体１の画像記録面Ｐに画像を記録した後、そのままを脚部２１Ａ〜２１Ｄ及び脚支持部２２Ａ〜２２Ｄを用いて基体１をテーブル等の載置面上に立てることができ、画像記録媒体Ｓをそのままフォトスタンドとして使用することができる。従って、別にフォトスタンドを用意する手間が不要であり、手軽に写真等の印刷物をテーブルの上に飾ることができる。
【００５８】
また、脚部２１Ａ〜２１Ｄ及び脚支持部２２Ａ〜２２Ｄの組を適当に選択して組み立てることにより、基体１を４方向に立てることができるし、脚部２１Ａ〜２１Ｄを、脚支持部２２Ａ〜２２Ｄによって所定角度に位置決めするので、誰が組み立てても、一定の角度で安定して基体１を保持することができる。
【００５９】
また、この画像記録媒体Ｓは、基体１を、画像記録面Ｐを有する第１の基体１１と第２の基体１２の張り合わせで構成し、第２の基体１２側に脚部２１Ａ〜２１Ｄ及び脚支持部２２Ａ〜２２Ｄを設けているので、脚部２１Ａ〜２１Ｄ及び脚支持部２２Ａ〜２２Ｄを設ける場合の切り込み（切断線）を入れる等の加工を、画像記録面Ｐを有する第１の基体１１側に影響を与えずに行うことができ、製作が容易になる。また、基体１を２枚の張り合わせで構成しているので、裏面側に脚部２１Ａ〜２１Ｄ及び脚支持部２２Ａ〜２２Ｄを設ける加工や、補助部２と基体１との境界にある切断部５、６の位置を、表面側と裏面側でずらす加工も容易に行うことができる。
【００６０】
次に上記構成の画像記録媒体Ｓを保管したり搬送したり販売したりする際の最適な形態について説明する。
この画像記録媒体Ｓは、表裏面ともフラットな面で構成されているものの、裏面側には、前述したように、脚部２１Ａ〜２１Ｄ及び脚支持部２２Ａ〜２２Ｄが引き起こし可能に設けられている。しかも、通常のプリント用紙よりもかなり厚めにでてきており、１枚１枚の重さもある。従って、通常のプリント用紙のように、画像記録面（表面）を同じ方向に向けて積層すると、画像記録面Ｐに脚部２１Ａ〜２１Ｄ及び脚支持部２２Ａ〜２２Ｄを形成した部分が当たることで、画像記録面Ｐに傷が付いたり汚れが付いたりし、記録画質の劣化を来すおそれがある。これを防ぐため、１枚１枚の画像記録媒体Ｓの間に保護シートを挟むこともできるが、そうすると、無用な保護シートの使用枚数が増えてしまい、コストアップにつながる。
【００６１】
そこで、例えば複数枚をセットにして販売する場合には、図１０に示すように、最下層の画像記録媒体Ｓを、裏面が下、表面が上となる向きで配置し、その上側に順次、表面と表面、裏面と裏面が向かい合う向きで複数枚の画像記録媒体Ｓを積層し、最上層の画像記録媒体Ｓの表面が上向きの場合、つまり、奇数枚の画像記録媒体Ｓを積層する場合には、その最上層の画像記録媒体Ｓの表面上に保護シート３０を積層することで、複数枚セットＳＵ１とする。そして、これを図１１に示すように、画像記録媒体Ｓの積層状態を保持可能な防湿性透明袋３２に収容して、箱３３に詰めることで、画像記録媒体のパッケージ品３５とする。このように梱包することで、画像記録面Ｐを保護することができ、高画質記録を保証することができる。
【００６２】
なお、図１２に示すように、偶数枚の画像記録媒体Ｓを積層してセットＳＵ２とする場合は、最上層の画像記録媒体Ｓの裏面が上向きになるので、保護シートで覆う必要はない。
【００６３】
次に、図１３を参照しながら、本発明に係る画像記録媒体Ｓの変形例を示す。
図１３は本変形例の画像記録媒体の全体構成図で、（ａ）は表面側から見た平面図、（ｂ）は側面図、（ｃ）は裏面側から見た平面図である。
【００６４】
図１３に示すように、この画像記録媒体Ｓ１は、表面側に画像記録装置により画像記録可能な画像記録面Ｐを有する長方形状の基体１０１と、基体１０１の長手方向両端に画像記録面Ｐと面一で且つ基体１０１から取り外し可能な張出片として取り付けられた長方形状の補助部（耳）１０２と、基体１をテーブル等の載置面に対して所定の角度で立てる際に基体１０１を保持する基体保持部としての、基体１０１の裏面側に設けられた４組の脚部１２１Ａ〜１２１Ｄ及び脚支持部１２２Ａ〜１２２Ｄとから構成されている。
【００６５】
４組の脚部１２１Ａ〜１２１Ｄ及び脚支持部１２２Ａ〜１２２Ｄは、長方形状の基体１０１の４つの辺に対応して設けられており、第１の脚部１２１Ａ及び脚支持部１２２Ａの組と、第２の脚部１２１Ｂ及び脚支持部１２２Ｂの組は、基体１０１の一方の長辺（図１（ｃ）の下の辺）に沿って並べて配置され、基体１０１の長さ方向の中心線Ｌ１に対して互いに線対称の関係にある。また、第３の脚部１２１Ｃ及び脚支持部１２２Ｃの組と、第４の脚部１２１Ｄ及び脚支持部１２２Ｄの組は、基体１０１の他方の長辺（図１（ｃ）の上の辺）に沿って並べて配置され、基体１０１の長さ方向の中心線Ｌ１に対して互いに線対称の関係にある。また、第１の脚部１２１Ａ及び脚支持部１２２Ａの組と、第４の脚部１２１Ｄ及び脚支持部１２２Ｄの組は、基体１０１の一方の短辺（図１（ｃ）の左の辺）に沿って並べて配置され、基体１０１の幅方向の中心線Ｌ２に対して互いに線対称の関係にある。また、第２の脚部１２１Ｂ及び脚支持部１２２Ｂの組と、第３の脚部１２１Ｃ及び脚支持部１２２Ｃの組は、基体１０１の他方の短辺（図１（ｃ）の右の辺）に沿って並べて配置され、基体１０１の幅方向の中心線Ｌ２に対して互いに線対称の関係にある。
【００６６】
各脚部１２１Ａ〜１２１Ｄは、接続部（折り曲げ線）１２４を介して基体１０１と一体に設けられており、接続部１２４が折り曲げられることにより、基体１０１を載置面に対して所定の角度に保持する機能を発揮する。また、脚支持部１２２Ａ〜１２２Ｄは、接続部（折り曲げ線）１２６を介して基体１０１と一体に設けられ、接続部１２６が折り曲げられることにより、基体１０１に対して脚部１２１Ａ〜１２１Ｄを所定角度に位置決めする機能を発揮する。
【００６７】
脚支持部１２２Ａ〜１２２Ｄには、脚部１２１Ａ〜１２１Ｄを介して基体１０１を第１の位置に支持するように脚部１２１Ａ〜１２１Ｄ側の係合溝１２８と係合可能な切欠溝１２７がそれぞれ設けられている。
画像記録媒体Ｓ１のその他の層構造、機能については、先に説明した画像記録媒体Ｓと同様である。
【００６８】
本変形例では、画像記録媒体Ｓ１の画像記録面Ｐに画像を記録し、そして画像記録媒体Ｓ１の基体１０１を縦置きに配置する場合には、補助部１０２，１０２を取り除き、脚部１２１Ａ、１２１Ｄ及び脚支持部１２２Ａ、１２２Ｄをある程度引き起こして、脚部１２１Ａ、１２１Ｄの係合溝１２８，１２８に、脚支持部１２２Ａ、１２２Ｄの切欠溝１２７、１２７を係合させる。こうすることで、係合部分が動かなくなり、脚部１２１Ａ、１２１Ｄの角度を固定することができる。従って、一方の短辺を載置面上に載せた状態で、裏面側の延ばした脚部１２１Ａ、１２１Ｄによって、基体１を所定の角度で縦置き姿勢で安定的に保持することができる。
【００６９】
また、画像記録媒体Ｓ１の画像記録面Ｐに画像を記録し、そして画像記録媒体Ｓ１の基体１０１を横置きに配置する場合には、補助部１０２，１０２を取り除き、脚部１２１Ａ、１２１Ｂ及び脚支持部１２２Ａ、１２２Ｂをある程度引き起こして、脚部１２１Ａ、１２１Ｂの係合溝１２８，１２８に、脚支持部１２２Ａ、１２２Ｂの切欠溝１２７、１２７を係合させる。こうすることで、係合部分が動かなくなり、脚部１２１Ａ、１２１Ｂの角度を固定することができる。従って、一方の短辺を載置面上に載せた状態で、裏面側の延ばした脚部１２１Ａ、１２１Ｂによって、基体１を所定の角度で横置き姿勢で安定的に保持することができる。
【００７０】
以上説明した本変形例の画像記録媒体Ｓ１のように、脚支持部１２２Ａ〜１２２Ｄに切欠溝１２７がそれぞれ一つだけ設けられた構成であっても、先に説明した画像記録媒体Ｓと同様の作用効果を奏することが可能である。
【図面の簡単な説明】
【００７１】
【図１】本発明に係る実施形態の画像記録媒体の全体構成図で、（ａ）は表面側から見た平面図、（ｂ）は側面図、（ｃ）は裏面側から見た平面図である。
【図２】前記画像記録媒体の基体の積層構造を示す模式図である。
【図３】前記画像記録媒体の表面側から見た外観を示す斜視図である。
【図４】前記画像記録媒体に対する印刷時の様子を概略的に示す側面図である。
【図５】前記画像記録媒体の補助部の切り離しの様子を示す図で、（ａ）は切り離し前のフラットな状態を示す側面図、（ｂ）は切り離し途中の状態を示す側面図である。
【図６】前記画像記録媒体をフォトスタンドして使用する場合の組立手順の説明図であって、一方の補助部を切り離した状態の画像記録媒体を裏面側から見た斜視図である。
【図７】基体保持部である脚部や脚支持部の引き起こし途中の状態を示す斜視図である。
【図８】基体を縦置きした場合の裏面側から見た斜視図である。
【図９】基体を横置きした場合の裏面側から見た斜視図である。
【図１０】前記画像記録媒体の複数枚セットの例を示す斜視図である。
【図１１】複数枚セットのパッケージの説明図である。
【図１２】偶数枚セットの例を示す斜視図である。
【図１３】本発明に係る変形例の画像記録媒体の全体構成図で、（ａ）は表面側から見た平面図、（ｂ）は側面図、（ｃ）は裏面側から見た平面図である。
【符号の説明】
【００７２】
Ｐ  画像記録面
Ｓ  画像記録媒体
１  基体
２  補助部
５  連続切断部
６  断続切断部
１１  第１の基体
１２  第２の基体
２１Ａ〜２１Ｄ  脚部（基板保持部）
２２Ａ〜２２Ｄ  脚支持部（基板保持部）
２４，２６  接続部
２７ａ  第１の切欠溝
２７ｂ  第２の切欠溝
２９  開口
【図１】
2005074814.tif 000003
【図２】
2005074814.tif 000004
【図３】
2005074814.tif 000005
【図４】
2005074814.tif 000006
【図５】
2005074814.tif 000007
【図６】
2005074814.tif 000008
【図７】
2005074814.tif 000009
【図８】
2005074814.tif 000010
【図９】
2005074814.tif 000011
【図１０】
2005074814.tif 000012
【図１１】
2005074814.tif 000013
【図１２】
2005074814.tif 000014
【図１３】
2005074814.tif 000015